(57)【要約】【課題】締結用楔孔と当該締結用楔孔に打ち込まれる締結用楔を備えた建築用仮設金物の締結力の増強と楔の弛み止め効果を高める。【解決手段】クランプ本体９に設けられた締結用楔孔１３ａ，１３ｂと当該締結用楔孔１３ａ，１３ｂに打ち込まれる締結用楔１０を備えた建築用仮設金物において、抜け止め用楔１１と抜け止め用楔孔１５とが設けられ、抜け止め用楔孔１５は、前記締結用楔１０に、当該締結用楔１０の打ち込み方向と直交する向きに貫通すると共に、前記締結用楔孔１３ａ，１３ｂに締結用楔１０が打ち込まれたときに前記クランプ本体９の外側面の内外に跨がって位置するように形成され、前記抜け止め用楔１１が、クランプ本体９の外側面の外側において前記抜け止め用楔孔１５に打ち込まれることにより、当該締結用楔１０をクランプ本体９に対し打ち込み方向に引き込む構成。【選択図】図３
2008261174.tif 000002
【特許請求の範囲】
【請求項１】
取付け部材に設けられた締結用楔孔と当該締結用楔孔に打ち込まれる締結用楔を備えた建築用仮設金物において、前記締結用楔孔と締結用楔とは別に、抜け止め用楔孔と抜け止め用楔とが設けられ、抜け止め用楔孔は、前記締結用楔に、当該締結用楔の打ち込み方向と直交する向きに貫通すると共に、前記締結用楔孔に締結用楔が打ち込まれたときに当該締結用楔孔が設けられている部材の外側面の内外に跨がって位置するように形成され、前記抜け止め用楔は、前記部材の外側面の外側において前記抜け止め用楔孔に打ち込まれて当該締結用楔を前記部材に対し打ち込み方向に引き出すように構成されている、建築用仮設金物。
【発明の詳細な説明】
【技術分野】
【０００１】
本発明は、締結用楔孔と当該締結用楔孔に打ち込まれる締結用楔を備えた建築用仮設金物に関するものである。
【背景技術】
【０００２】
上記のような締結用楔を使用する建築用仮設金物は、特許文献を開示するまでもなく各種のものが知られている。例えば建設中の建物の外側に鋼管などで組み立てられた仮設足場に取り付けられる足場板支持用ブラケットには、仮設足場の縦鋼管に外嵌させて楔により締結するものが知られており、コンクリート型枠の組立てには、型枠板の外側に補強用の鋼管バタを楔で固定するタイプの型枠締め付け金具が利用されている。前者の足場板支持用ブラケットは、楔によりこのブラケット自体が仮設足場の縦鋼管に取り付けられるものであり、後者の型枠締め付け金具では、当該型枠締め付け金具自体は型枠板の内側に位置するセパレーターとネジ結合されて型枠板に固定され、楔はこの型枠締め付け金具に隣接して配置される鋼管バタを型枠板に固定するために使用されている。
【発明の開示】
【発明が解決しようとする課題】
【０００３】
而して、上記何れのタイプの建築用仮設金物であっても、従来のものでは、1本の締結用楔を当該仮設金物側に設けられた締結用楔孔に打ち込むことにより、締結作用が完結するように構成されていた。即ち、前記締結用楔の抜け止め対策は講じられていなかったので、強い振動を受けるなどの異常事態が生じたときなど、締結用楔が不測に弛緩して、当該締結用楔で取り付けられている仮設金物自体又は当該仮設金物を介して型枠など他物に楔で取り付けられている取付け部材が緩み、場合によっては脱落する危険な事態に発展する恐れがあった。
【課題を解決するための手段】
【０００４】
本発明は上記のような従来の問題点を解消し得る建築用仮設金物を提供することを目的とするものであって、請求項１に記載の建築用仮設金物は、後述する実施形態の参照符号を付して示すと、取付け部材（クランプ本体９）に設けられた締結用楔孔１３ａ，１３ｂと当該締結用楔孔１３ａ，１３ｂに打ち込まれる締結用楔１０を備えた建築用仮設金物において、抜け止め用楔１１と抜け止め用楔孔１５とが設けられ、抜け止め用楔孔１５は、前記締結用楔１０に、当該締結用楔１０の打ち込み方向と直交する向きに貫通すると共に、前記締結用楔孔１３ａ，１３ｂに締結用楔１０が打ち込まれたときに前記取付け部材（クランプ本体９）の外側面の内外に跨がって位置するように形成され、前記抜け止め用楔１１は、取付け部材（クランプ本体９）の外側面の外側において前記抜け止め用楔孔１５に打ち込まれて当該締結用楔１０を取付け部材（クランプ本体９）に対し打ち込み方向に引き込むように構成されている。
【発明の効果】
【０００５】
上記構成の本発明に係る建築用仮設金物によれば、主たる締結用楔を仮設金物側の締結用楔孔に打ち込んで所期の締結操作を行った後、当該締結用楔に設けられている抜け止め用楔孔に抜け止め用楔を打ち込むという二段階操作が必要にはなるが、抜け止め用楔が緩まない限り主たる締結用楔が緩む恐れはなくなる。しかも、締結用楔と抜け止め用楔の打ち込む方向が互いに直交するように異なるため、使用状態において受ける振動の向きが抜け止め用楔の打ち込み方向であるために仮に抜け止め用楔が緩んだとしても、当該振動の向きは締結用楔の打ち込む方向に対して直交する向きであるから、締結用楔までが引き続いて緩んでしまうようなことは殆ど生じる恐れがない。換言すれば、単に２本の楔を順番に打ち込むだけの簡単な操作により、楔止めされた仮設金物自体の弛み又は当該仮設金物を介して楔止めされた取付け部材の弛みを強力に防止できるという格別の作用効果が期待できるに至ったのである。
【発明を実施するための最良の形態】
【０００６】
以下に本発明の具体的実施例を添付図に基づいて説明すると、この図示の実施形態は、先に説明した仮設金物自体を楔により取り付けるタイプの足場板支持用ブラケット１に本発明を適用したものである。足場板支持用ブラケット１は、本体２と上下２つの楔式クランプ３ａ，３ｂとから成るもので、本体２は、垂直部材４の上端から水平部材５を直角横向きに固着連設し、垂直部材４の下端近傍位置と水平部材５の先端近傍位置とに斜め部材６の両端を固着して直角三角形状に構成したものである。垂直部材４と水平部材５は丸パイプ材から成るもので、水平部材５は、垂直部材４と斜め部材６とに固着された外管５ａと、その先端から出し入れ自在に当該外管５ａ内に挿入された内管５ｂとから成る伸縮自在なもので、内管５ｂの外端部には、外管５ａと同一径の丸パイプ材５ｃが外嵌固着されると共に足場板位置決め用垂直板７が上向きに突出するように固着されている。８は外管５ａに対して内管５ｂを固定する締結用ネジ８である。
【０００７】
上下２つの楔式クランプ３ａ，３ｂは同一構造のものであって、それぞれが帯状金属板をＵ字形に曲げ加工して成るクランプ本体９、締結用楔１０、及び抜け止め用楔１１から構成されている。クランプ本体９は、その左右一対の平行側板部１２ａ，１２ｂが垂直部材４に対して水平部材５のある側とは正反対の方向に突出するように垂直部材４に外嵌固着されており、平行側板部１２ａ，１２ｂには、大径鋼管Ｐ１に足場板支持用ブラケット１を取り付けるときに締結用楔１０を打ち込む第一の締結用楔孔１３ａ，１３ｂと、小径鋼管Ｐ２に足場板支持用ブラケット１を取り付けるときに締結用楔１０を打ち込む第二の締結用楔孔１４ａ，１４ｂとが設けられている。これら各締結用楔孔１３ａ〜１４ｂは、その長さ方向（打ち込まれる締結用楔１０の板面巾方向）が平行側板部１２ａ，１２ｂの長さ方向（垂直部材４に対し直角で水平部材５の長さ方向と平行な方向）と平行になるように形成されている。
【０００８】
締結用楔１０と抜け止め用楔１１は、第一の締結用楔孔１３ａ，１３ｂと第二の締結用楔孔１４ａ，１４ｂの何れにも使用されるもので、何れの楔も適当厚さの金属板を楔形に切断して構成した板状楔である。締結用楔１０には、その尖端近傍位置の巾方向略中央位置に、この締結用楔１０の打ち込み方向と平行に抜け止め用楔孔１５が設けられている。従って、締結用楔１０を締結用楔孔１３ａ，１３ｂ又は１４ａ，１４ｂ間に打ち込んだときの当該抜け止め用楔孔１５の貫通方向は、締結用楔孔１３ａ〜１４ｂの貫通方向に対し直交する向きとなる。而して、この抜け止め用楔孔１５の位置及び長さは、次に説明する抜け止め効果が得られるように設定されている。
【０００９】
即ち、足場板支持用ブラケット１を使用するときは、図１及び図２に示すように、建築物に沿って立設された仮設足場の縦鋼管Ｐ１（又はＰ２）に上下２つの楔式クランプ３ａ，３ｂのクランプ本体９を、その平行側板部１２ａ，１２ｂ間で縦鋼管Ｐ１（又はＰ２）を挟むように外嵌させ、各楔式クランプ３ａ，３ｂにおける第一の締結用楔孔１３ａ，１３ｂ（又は第二の締結用楔孔１４ａ，１４ｂ）に対し所定の方向から締結用楔１０を打ち込む。この結果、当該締結用楔１０の長さ方向の中央位置付近で縦鋼管Ｐ１（又はＰ２）が足場板支持用ブラケット１の本体２の垂直部材４に圧接固定されるように、第一の締結用楔孔１３ａ，１３ｂ（又は第二の締結用楔孔１４ａ，１４ｂ）の長さと位置、及び締結用楔１０の長さと勾配（巾）が設定されている。従って、打ち込まれた締結用楔１０の尖端側は、略一定長さ部分が第一の締結用楔孔１３ａ（又は第二の締結用楔孔１４ａ）から突出することになり、このときに当該締結用楔１０に設けられている抜け止め用楔孔１５が、第一の締結用楔孔１３ａ（又は第二の締結用楔孔１４ａ）を有するクランプ本体９の側板部１２ａの外側面の内外に跨がって位置すると共に、当該側板部１２ａの外側面からの突出長さが抜け止め用楔１１を打ち込めるだけの長さとなるように構成されている。
【００１０】
而して、上記のように締結用楔１０の打ち込みにより足場板支持用ブラケット１を縦鋼管Ｐ１（又はＰ２）の所定高さに締結したならば、上記のようにクランプ本体９の側板部１２ａから突出している締結用楔１０の抜け止め用楔孔１５に抜け止め用楔１１をクランプ本体９の側板部１２ａの外側面に摺接させながら上から下向きに打ち込み、当該抜け止め用楔１１で締結用楔１０を打ち込み方向に引き込ませる。換言すれば、このように抜け止め用楔１１を機能させることができるように、締結用楔１０の抜け止め用楔孔１５の位置と長さ、及び抜け止め用楔１１の長さと勾配（巾）が設定されている。この抜け止め用楔１１の打ち込みにより、締結用楔１０の打ち込みによる締結作用が更に増強されると共に、当該締結用楔１０の抜け止め効果が得られるのである。
【００１１】
上記のようにして足場板支持用ブラケット１を上下２つの楔式クランプ３ａ，３ｂにより縦鋼管Ｐ１（又はＰ２）に取り付けたならば、後は従来通り、当該足場板支持用ブラケット１から水平横方向に所定距離だけ離れた位置で前記仮設足場に同様に足場板支持用ブラケット１を取り付け、これら両足場板支持用ブラケット１間にわたって足場板を、当該足場板を各足場板支持用ブラケット１の本体２の水平部材５上に載置する状態で架設することができる。尚、使用する足場板の巾に応じて水平部材５の内管５ｂを出し入れして締結用ネジ８で固定しておき、載置された足場板を足場板位置決め用垂直板７と縦鋼管Ｐ１（又はＰ２）との間で挟ませることができる。
【００１２】
尚、本発明は、上記実施形態に示した足場板支持用ブラケットだけではなく、楔を締結用に使用するあらゆる建築用仮設金物に適用実施することができる。又、締結用楔１０と抜け止め用楔１１とは、チエンやロープなどにより金物本体、上記実施形態の場合はクランプ本体９又は足場板支持用ブラケット１自体の本体２に繋いでおくことができる。この場合、抜け止め用楔１１は締結用楔１０に繋ぐこともできる。更に、上記実施形態では、締結用楔１０が打ち込まれる締結用楔孔として、大径鋼管Ｐ１に締結するときに使用する第一の締結用楔孔１３ａ，１３ｂと小径鋼管Ｐ２に締結するときに使用する第二の締結用楔孔１４ａ，１４ｂとを設けているが、何れか一方だけであっても良い。勿論、本発明を適用する建築用仮設金物の構造によっては、締結用楔１０が打ち込まれる締結用楔孔が１つだけ設けられる場合もある。
【図面の簡単な説明】
【００１３】
【図１】Ａ図は本発明一実施形態に係る足場板支持用ブラケットの使用状態での側面図、Ｂ図は同背面図である。
【図２】同ブラケットの使用状態での一部切り欠き平面図である。
【図３】同ブラケットに使用されている楔式クランプを示す斜視図である。
【符号の説明】
【００１４】
１    足場板支持用ブラケット
２    本体
３ａ，３ｂ    楔式クランプ
９    クランプ本体
１０    締結用楔
１１    抜け止め用楔
１２ａ，１２ｂ    平行側板部
Ｐ１，Ｐ２    仮設足場の縦鋼管
１３ａ，１３ｂ    第一の締結用楔孔
１４ａ，１４ｂ    第二の締結用楔孔
１５    抜け止め用楔孔
【図１】
2008261174.tif 000003
【図２】
2008261174.tif 000004
【図３】
2008261174.tif 000005